(57)【要約】【課題】エンドプレートの剛性を高め、騷音及び振動を減少し、ボールが一層効果的に回転できる直線運動スライダー用エンドプレート及び直線運動スライダーを提供する。【解決手段】ボール外面循環溝が形成されたエンドプレート本体を含んでなり、前記エンドプレート本体の内周面には、ボール外面に接触して支持する第１支持部と第２支持部が形成され、前記第１支持部と前記第２支持部を連結する連結面と前記ボール外面との間に空間部が形成される。【選択図】図５
2007278491.tif 000002
【特許請求の範囲】
【請求項１】
直線運動スライダーに設置されるエンドプレートにおいて、
ボール外面循環溝が形成されたエンドプレート本体を含んでなり、前記エンドプレート本体の内周面には、ボール外面に接触して支持する第１支持部と第２支持部が形成され、前記第１支持部と前記第２支持部を連結する連結面と、前記ボール外面との間に空間部が、形成されることを特徴とする直線運動スライダー用エンドプレート。
【請求項２】
前記第１支持部は、前記ボール外面循環溝の中心を通る水平面の上部に配置され、前記第２支持部は、前記ボール外面循環溝の中心を通る水平面の下部に配置されることを特徴とする請求項１に記載の直線運動スライダー用エンドプレート。
【請求項３】
前記エンドプレート本体において、前記ボール外面循環溝が形成された面には、上下方向に第１挿支溝が形成され、前記第１挿支溝に連通するように、左右方向に第２挿支溝が形成されることを特徴とする、請求項１または２に記載の直線運動スライダー用エンドプレート。
【請求項４】
直線運動スライダーにおいて、
ボールと；
前後方向に負荷ボール溝が形成され、前記負荷ボール溝に対応し無負荷ボール通路が穿設されるブロック本体と；
前記ブロック本体の前方と後方にそれぞれ配置され、ボール外面循環溝が形成されたエンドプレートと；
前記ボール外面循環溝に対応しボール内面循環溝が形成され、前記ブロック本体と前記エンドプレートとの間に配置されるボール内面循環部材と；を含んでなり、
前記エンドプレートの内周面には、前記ボールの外面に接触して支持する第１支持部と第２支持部が形成され、前記第１支持部と前記第２支持部を連結する連結面と、前記ボールの外面との間に空間部が、形成されることを特徴とする直線運動スライダー。
【請求項５】
前記エンドプレートにおいて、前記ボール外面循環溝が形成された面には上下方向に第１挿支溝が形成され、前記第１挿支溝に連通するように左右方向に第２挿支溝が形成され、
両端が前記第１挿支溝にそれぞれ嵌め込まれる第１挿支部と、前記第１挿支部に折り曲げられ前記第２挿支溝に嵌め込まれる第２挿支部とを含み、前記ブロック本体の上部に配置されるシーリング部材を、さらに含むことを特徴とする請求項４に記載の直線運動スライダー。
【請求項６】
前記シーリング部材は、前記第２挿支部の両端に、前記エンドプレート外側に配置される突出片が、形成されることを特徴とする請求項５に記載の直線運動スライダー。
【発明の詳細な説明】
【技術分野】
【０００１】
本発明は、直線運動スライダー用エンドプレート及び直線運動スライダーに関するものであり、特にエンドプレートの内周面には、ボール外面に接触して支持する第１支持部と第２支持部が形成され、前記第１支持部と前記第２支持部を連結する連結面と前記ボール外面との間に空間部が形成されることにより、エンドプレートの剛性が大きくなり、ボールがボール外面循環溝を安定的に回転し騷音及び振動が減少し、前記空間部は潤滑油を保有できる空間になり、ボールがより効果的に回転できる直線運動スライダー用エンドプレート及び直線運動スライダーに関するものである。
【背景技術】
【０００２】
従来のリニアモーションユニットは、特許文献１に開示されているものがある。
【０００３】
従来のリニアモーションユニットは、大きくはボールガイド面を有するガイドレールと、ブロック本体と、該ブロック本体の前後両端に締結されるエンドキャップを有するベアリングブロックと、ガイドレールとベアリングブロックとの間に介在する複数のボールとから構成されている。
【０００４】
ブロック本体には、負荷ボール収容溝、無負荷ボール収容孔、及び溝が加工されている。
【０００５】
ボールは、無負荷ボール収容孔と溝に装着されるパイプに配列され収容される。エンドキャップには、パイプの端部を固定する溝が加工されている。
【０００６】
【特許文献１】日本特開第１９８７−２０００１５号公報
【発明の開示】
【発明が解決しようとする課題】
【０００７】
前記エンドキャップに形成された溝は断面形状が‘Ｕ’字形に形成されている。
【０００８】
したがってボールが前記溝に沿って回転する際、ボールは前記溝に一点接触することになる。
【０００９】
これにより、ボールは不規則に回転運動し、結果的に騷音及び振動を引き起こすことになる。
【００１０】
また、ボールは円滑に回転運動することができなくなり、これによりボールはエンドキャップの局所部位を強打することになり、破壊の原因となる問題点がある。
【００１１】
従来のこの種のリニアモーションユニットに装着されるエンドキャップには、潤滑油を供給するため、潤滑油注入口が形成される。
【００１２】
前記潤滑注入口は、空間的な制約により偏るよう形成される。
【００１３】
このように偏って配置された潤滑注入口により、エンドプレートの両側に配置される溝に異なる量の潤滑油が、注入されることになる問題点がある。
【００１４】
本発明は前述した問題を解決するためになされたもので、エンドプレートの内周面には、ボール外面に接触して支持する第１支持部と第２支持部が形成され、前記第１支持部と前記第２支持部を連結する連結面と前記ボール外面との間に空間部が形成されることにより、エンドプレートの剛性が大きくなり、ボールがボール外面循環溝を安定的に回転するので騷音及び振動が減少し、前記空間部は潤滑油を保有できる空間になり、ボールがより効果的に回転できる直線運動スライダー用エンドプレート及び直線運動スライダーを提供することにその目的がある。
【００１５】
また、本発明は前述した問題を解決するために案出されたもので、第１ボール外面循環溝と潤滑注入口との間の流路長は第２ボール外面循環溝と前記潤滑注入口間の流路長より短く、前記第１潤滑入口の断面積は前記第２潤滑入口の断面積より小さく形成され、それぞれのボール外面循環溝に潤滑油を均一に供給できる直線運動スライダー用エンドプレートを、提供することにその目的がある。
【課題を解決するための手段】
【００１６】
前述した目的を達成するため本発明は、直線運動スライダーに設置されるエンドプレートにおいて、ボール外面循環溝が形成されたエンドプレート本体を含んでなり、前記エンドプレート本体の内周面には、ボール外面に接触して支持する第１支持部と第２支持部が形成され、前記第１支持部と前記第２支持部を連結する連結面と前記ボール外面との間に空間部が形成されることを特徴とする。
【００１７】
この構成によれば、エンドプレートの剛性が大きくなり、ボールがボール外面循環溝を安定的に回転するため騷音及び振動が減少し、前記空間部は潤滑油を保有できる空間になり、ボールが一層効果的に回転できる利点がある。
【００１８】
前記第１支持部は、前記ボール外面循環溝の中心を通る水平面の上部に配置され、前記第２支持部は、前記ボール外面循環溝の中心を通る水平面の下部に配置され、ボールが一側に偏らずに均衡に回転することができる。
【００１９】
前述した構成において、前記エンドプレート本体で、前記ボール外面循環溝が形成された面には上下方向に第１挿支溝が形成され、前記第１挿支溝に連通するように左右方向に第２挿支溝が形成される。
【００２０】
本発明は直線運動スライダーにおいて、ボールと前後方向に負荷ボール溝が形成され、前記負荷ボール溝に対応し無負荷ボール通路が穿設されるブロック本体と、前記ブロック本体の前方と後方にそれぞれ配置され、ボール外面循環溝が形成されたエンドプレートと、前記ボール外面循環溝に対応しボール内面循環溝が形成され、前記ブロック本体と前記エンドプレートとの間に配置されるボール内面循環部材とを含んでなり、前記エンドプレートの内周面には、前記ボールの外面に接触して支持する第１支持部と第２支持部形成され、前記第１支持部と前記第２支持部を連結する連結面と前記ボールの外面との間に空間部が形成されることを特徴とする。
【００２１】
前記エンドプレートにおいて、前記ボール外面循環溝が形成された面には上下方向に第１挿支溝が形成され、前記第１挿支溝に連通するように左右方向に第２挿支溝が形成され、両端が前記第１挿支溝にそれぞれ嵌め込まれる第１挿支部と、前記第１挿支部から折り曲げられて形成され、前記第２挿支溝に嵌め込まれる第２挿支部とを含み、前記ブロック本体の上部に配置されるシーリング部材をさらに含み、前記シーリング部材を前記エンドプレートに組み立てることが容易であり、組み立てられた前記シーリング部材は、シーリングの役割と防塵の役割を同時に果せるようになる。
【００２２】
前記シーリング部材は、前記第２挿支部の両端に前記エンドプレートの外側に配置される突出片が形成されることにより、前記シーリング部材が前記エンドプレートとレールフレームとの間も、シーリング及び防塵の役割を果たせることになる。
【００２３】
本発明は、直線運動スライダーに設置されるエンドプレートにおいて、第１ボール外面循環溝と第２ボール外面循環溝が形成され、潤滑油が注入される潤滑注入口が形成され、前記潤滑注入口に連通するよう第１連結通路が形成され、前記第１連結通路と前記第１ボール外面循環溝を連結し、前記第１連結通路の前記潤滑油を前記第１ボール外面循環溝に移送する第１潤滑入口が形成され、前記第１連結通路と前記第２ボール外面循環溝を連結し、前記第１連結通路の前記潤滑油を前記第２ボール外面循環溝に移送する第２潤滑入口が形成されるエンドプレート本体を含んでなり、前記第１ボール外面循環溝と前記潤滑注入口との間の流路長は、前記第２ボール外面循環溝と前記潤滑注入口との間の流路長より短く、前記第１潤滑入口の断面積は前記第２潤滑入口の断面積より小さく形成されることを特徴とする。
【００２４】
この構成によれば、それぞれのボール外面循環溝に潤滑油を均一に供給できる利点がある。
【００２５】
本発明の他の実施例は、直線運動スライダーに設置されるエンドプレートにおいて、第１ボール外面循環溝と第２ボール外面循環溝が形成され、潤滑油が注入される潤滑注入口が形成され、前記潤滑注入口に連通するよう第１連結通路が形成され、前記第１連結通路と前記第１ボール外面循環溝を連結し、前記第１連結通路の前記潤滑油を前記第１ボール外面循環溝に移送する第１潤滑入口が形成され、前記第１連結通路と前記第２ボール外面循環溝を連結し、前記第１連結通路の前記潤滑油を前記第２ボール外面循環溝に移送する第２潤滑入口が形成されるエンドプレート本体を含んでなり、前記第１ボール外面循環溝と前記潤滑注入口との間の流路長は、前記第２ボール外面循環溝と前記潤滑注入口との間の流路長より短く、前記第１連結通路で前記潤滑注入口と前記第１潤滑入口との間の最短流路の最小断面積は、前記第１連結通路で前記潤滑注入口と前記第２潤滑入口との間の最短流路の最小断面積より小さく形成されることを特徴とする。
【００２６】
前記エンドプレート本体には軸が貫通する貫通孔が形成され、前記貫通孔と前記第１連結通路に連通し、前記潤滑油を前記軸と前記貫通孔との間に移送する第３潤滑入口が形成され、前記軸と前記エンドプレートとの間にも効果的に潤滑油を供給することができる。
【００２７】
また、ボール内面循環溝が形成され、上下にそれぞれ配置される支持部と前記支持部を連結する連結部とを含むボール内面循環部材を含み、前記支持部には、前記ボール内面循環溝に連通するよう、第２連結通路がそれぞれ形成され、前記ボール内面循環部材には、上部及び下部に配置された前記第２連結通路を連結する第３連結通路が長手方向に形成され、前記連結部には、前記第３連結通路と前記潤滑注入口を連結し、前記潤滑油を前記ボール内面循環部材に流入させる第４潤滑入口が幅方向に形成されるので、前記潤滑油をボール内面循環部材に効果的に移送させることができるとともに、ボール内面循環部材を前記エンドプレートに容易に組み立てることができる。
【発明の効果】
【００２８】
以上のように、エンドプレートの内周面には、ボール外面に接触して支持する第１支持部と第２支持部が形成され、前記第１支持部と前記第２支持部を連結する連結面と前記ボール外面との間に空間部が形成されることにより、エンドプレートの剛性が大きくなり、ボールがボール外面循環溝を安定的に回転するため騷音及び振動が減少し、前記空間部は潤滑油を保有できる空間になり、ボールがより効果的に回転することができる。
【００２９】
前記第１支持部は前記ボール外面循環溝の中心を通る水平面の上部に配置され、前記第２支持部は前記ボール外面循環溝の中心を通る水平面の下部に配置されるため、ボールが一側に偏らず均衡に回転することができる。
【００３０】
前記エンドプレートにおいて、前記ボール外面循環溝が形成された面には、上下方向に形成される第１挿支溝と前記第１挿支溝に連通するよう、左右方向に形成される第２挿支溝が形成され、両端が前記第１挿支溝にそれぞれ嵌め込まれる第１挿支部と、前記第１挿支部から折り曲げられて形成され前記第２挿支溝に嵌め込まれる第２挿支部とを含み、前記ブロック本体の上部に配置されるシーリング部材をさらに含むため、前記シーリング部材を前記エンドプレートに組み立てることが容易であり、組み立てられた前記シーリング部材はシーリングの役割と防塵の役割を同時に果たせるようになる。
【００３１】
前記シーリング部材は、前記第２挿支部の両端に、前記エンドプレートの外側に配置される突出片が形成され、前記シーリング部材が前記エンドプレートとレールフレーム間のシーリング及び防塵の役割も果たせるようになる。
【００３２】
第１ボール外面循環溝と潤滑注入口との間の流路長は、第２ボール外面循環溝と前記潤滑注入口との間の流路長より短く、前記第１潤滑入口の断面積は前記第２潤滑入口の断面積より小さく形成されるので、それぞれのボール外面循環溝に潤滑油を均一に供給することができる。
【００３３】
前記エンドプレート本体には軸が貫通する貫通孔が形成され、前記貫通孔と前記第１連結通路に連通し、前記潤滑油を前記軸と前記貫通孔との間に移送する第３潤滑入口が形成されるため、前記軸と前記エンドプレートとの間にも効果的に潤滑油を供給することができる。
【００３４】
ボール内面循環溝を有し、上下にそれぞれ配置される支持部と前記支持部を連結する連結部とを含むボール内面循環部材を含み、前記支持部には、前記ボール内面循環溝に連通するよう第２連結通路がそれぞれ形成され、前記ボール内面循環部材には、上部及び下部に配置された前記第２連結通路を連結する第３連結通路が長手方向に形成され、前記連結部には、前記第３連結通路と前記潤滑注入口を連結し前記潤滑油を前記ボール内面循環部材に流入させる第４潤滑入口が幅方向に形成されるため、前記潤滑油をボール内面循環部材に効果的に移送させることができるとともに、ボール内面循環部材を前記エンドプレートに容易に組み立てることができる。
【発明を実施するための最良の形態】
【００３５】
以下、本発明の望ましい一実施例を添付図面に基づき詳しく説明する。
【００３６】
参考として、以下に説明する本発明の構成のうち、従来技術と同一の構成に対しては前述した従来技術を参照することとし、別途詳細な説明は省略する。
【００３７】
図１は本発明の望ましい実施例による直線運動ユニットの分離斜視図、図２は図１の結合斜視図、図３は図１のブロック本体の斜視図、図４は図１のエンドプレートの斜視図、図５は図４のＡ−Ａ’についての断面図、図６は図１のシーリング部材の斜視図、図７は図１のボール内面循環部材の斜視図、図８は図１のボール内面循環部材の背面斜視図、図９は図１のレールフレームの斜視図である。
【００３８】
図１乃至図９に示すように、本実施例の直線運動ユニットは、大きくはレールフレーム１７０と、該レールフレーム１７０に沿って直線運動するスライダーとからなる。
【００３９】
図９に示すように、レールフレーム１７０は、両側に垂直部１７８が形成されている。
【００４０】
垂直部１７８の内側面上部及び下部には、ボールガイド面１７２がレールフレーム１７０の前後方向に沿って形成されている。
【００４１】
垂直部１７８とレールフレーム１７０の底面の連結部の端には、ラウンド部１７５が形成されている。
【００４２】
垂直部１７８の外側面には、長手方向に沿ってセンサーレール１８０が引っ掛かる係止爪１７３が形成され、係止爪１７３の上部には、センサーレール１８０を装着するためのホール１７４が形成される。
【００４３】
また、垂直部１７８の前面及び後面には、フロントカバー１００及びリアカバー１９０を装着するためのホール１７１が形成されている。
【００４４】
レールフレーム１７０の底面には、前記直線運動ユニットが他の部材に装着できるよう、設置孔１７６が長手方向に沿って多数形成されている。
【００４５】
センサーレール１８０は、上端及び下端に、外側に折り曲げられた第１折曲部と、前記第１折曲部に下向きに折り曲げられた第２折曲部とが形成され、センサーを直線運動するようガイドする。
【００４６】
ボールスクリュー１６０は前記スライダーを貫通し、前端及び後端がフロントカバー１００とリアカバー１９０にベアリング１４０を介して回動可能に設置される。
【００４７】
ボールスクリュー１６０の外周面には、スクリュー１６１が形成されている。
【００４８】
ボールスクリュー１６０のスクリュー１６１と結合するよう、ボールスクリュー１６０が挿入される前記スライダーの貫通孔の内周面には、ネジ山が形成されるか、あるいは別途のナットが前記スライダーに設置される。
【００４９】
これにより、ボールスクリュー１６０の回転運動は前記スライダーの直線運動に転換される。
【００５０】
ボールスクリュー１６０の前方側には、ダンパー１５０、フランジ１３０、ベアリング１４０、フロントカバー１００、カラー（ｃｏｌｌａｒ）１２０、及びロックナット１１０が順次取り付けられる。
【００５１】
ボールスクリュー１６０の後方側には、ダンパー１５０、ベアリング１４０、及びリアカバー１９０が順次取り付けられる。
【００５２】
フロントカバー１００は、前板１０３と後板１０４を連結する前後フレーム１０５が両側上下に配置される。
【００５３】
両側にある前後フレーム１０５は、左右フレーム１０６により連結される。
【００５４】
左右フレーム１０６は後板１０４の背面に取り付けられ、上部にある左右フレーム１０６は後板１０４の上面より高く配置される。
【００５５】
後板１０４には、レールフレーム１７０に取り付けられるようボルト１０８が挿入される貫通孔１０７が形成され、前板１０３には、貫通孔１０７に対応する位置に、貫通孔１０２が形成される。
【００５６】
前板１０３の中心部には貫通孔が形成され、前記貫通孔には段差のある爪が形成される。
【００５７】
フランジ１３０は、上部及び下部に平面部１３３が形成され、中心部にはボールスクリュー１６０が貫通する貫通孔が形成され、前記貫通孔に近接し環状の突出部１３２が前面に形成されている。
【００５８】
フランジ１３０には、突出部１３２の周りに沿って後板１０４に固定されるようホール１３１が形成されている。
【００５９】
ダンパー１５０は、フランジ１３０と同様に上端及び下端に平面部１５２が形成されており、上部一側にはホール１５１が偏って形成されている。
【００６０】
リアカバー１９０は、中心部にボールスクリュー１６０が貫通するホールが形成されており、前記ホールの両側には、レールフレーム１７０に固定されるためのホール１９１がさらに形成される。
【００６１】
前記スライダーは、ボール９００と前後方向に負荷ボール溝６０３が形成され、前記負荷ボール溝６０３に対応し無負荷ボール通路６０４が、穿設されるブロック本体６００と前記ブロック本体６００の前方と後方にそれぞれ配置され、ボール外面循環溝が形成されたエンドプレート５００と、前記ボール外面循環溝に対応してボール内面循環溝７０３が形成され、前記ブロック本体６００と前記エンドプレート５００との間に配置されるボール内面循環部材７００とを含んでなるもので、レールフレーム１７０に沿い直線運動する。
【００６２】
ブロック本体６００の側面には、前後方向に負荷ボール溝６０３が形成される。
【００６３】
ブロック本体６００の中心部には、ボールスクリュー１６０が貫通する貫通孔６０７が前後方向に形成される。
【００６４】
ブロック本体６００には、負荷ボール溝６０３に対応し、貫通孔６０７の両側上下部に無負荷ボール通路６０４が穿設される。
【００６５】
また、ブロック本体６００の上部両側の端部には、前後方向に安着溝６０２が形成されている。
【００６６】
ブロック本体６００の上面には、テーブル３００を装着できるホール６０９が形成されている。
【００６７】
また、ブロック本体６００の上面には、溝６０１、６０８が左右方向と前後方向に形成される。
【００６８】
例えば、溝６０１、６０８は‘−’または‘＋’形状に形成することができる。
【００６９】
また、溝６０８に連通するよう、ブロック本体６０８の上面にホールがさらに形成されることができる。
【００７０】
エンドプレート５００はブロック本体６００の前方と後方にそれぞれ配置され、ボール外面循環溝が形成される。
【００７１】
エンドプレート５００の中心部には、軸の役割をするボールスクリュー１６０が貫通する貫通孔５０６が形成される。
【００７２】
前記ボール外面循環溝は、貫通孔５０６の左側上部に形成される第２ボール外面循環溝５１１ｂと、貫通孔５０６の右側上部に形成される第１ボール外面循環溝５１１ａとを含むことができる。
【００７３】
また、第１ボール外面循環溝５１１ａ及び第２ボール外面循環溝５１１ｂと対称となるよう、貫通孔５０６の両側下部にもボール外面循環溝がそれぞれ形成される。
【００７４】
図５に示すように、エンドプレート５００の内周面には、ボール９００の外面に接触して支持する第１支持部５１６と第２支持部５１７が形成され、第１支持部５１６と第２支持部５１７を連結する連結面５１８と、ボール外面９０１との間に空間部が形成される。
【００７５】
ボール９００は、第１支持部５１６と第２支持部５１７に点接触する。
【００７６】
また、前記空間部は潤滑油を保有し得る空間になるため、前記ボール外面循環溝に沿いボール９００が旋回する場合、ボール９００とエンドプレート５００の内周面との間に潤滑油を効果的に供給することになる。
【００７７】
したがって、ボール９００が効果的に旋回できるようになり、ボール９００及びエンドプレート５００の損傷も減らすことができる。
【００７８】
第１支持部５１６と第２支持部５１７は、前記ボール外面循環溝内部にボール９００が旋回する方向に沿い形成される。
【００７９】
第１支持部５１６と第２支持部５１７は、エンドプレート５００の内周面からボール９００に接触する部分までであり、連結面５１８は、第１支持部５１６がボール９００と接触する部分から第２支持部５１７がボール９００と接触する部分までを意味する。
【００８０】
第１支持部５１６と第２支持部５１７は同じ形状に形成され、第１支持部５１６はボール９００の半径より大きい半径を有する円弧状に形成される。
【００８１】
第１支持部５１６と第２支持部５１７は、前記ボール外面循環溝の中心を通る水平面を基準として上下部に対称となるよう配置される。
【００８２】
すなわち、第１支持部５１６は前記ボール外面循環溝の中心を通る水平面の上部に配置され、第２支持部５１７は前記ボール外面循環溝の中心を通る水平面の下部に配置される。
【００８３】
これにより、ボール９００が前記ボール外面循環溝に挿入されると、ボール外面９０１の上部及び下部が第１支持部５１６と第２支持部５１７に支持されながら旋回した後、ブロック本体６００側に抜け出る。
【００８４】
また、第１支持部５１６と第２支持部５１７は対称となるよう配置されるため、第１支持部５１６と第２支持部５１７に支持されるボール９００の中心点も、前記ボール外面循環溝の中心を通る水平面上に位置することになる。
【００８５】
したがって、ボール９００は前記ボール外面循環溝の一側に偏らず均衡に回転することができる。
【００８６】
さらに、エンドプレート５００には、ボール９００がより多い箇所で接触して支持されるよう、前記のような支持部が多数形成されることができる。
【００８７】
エンドプレート５００の背面には、設置孔５０９に連通するように、ボルトなどが安着できる安着溝５１５が形成されている。
【００８８】
エンドプレート５００において、前記ボール外面循環溝が形成された面（以下、前面という）の上部両側には、上下方向に形成される第１挿支溝５１２と、前記第１挿支溝５１２に連通するように、左右方向に形成される第２挿支溝５１３とが形成される。
【００８９】
また、シーリング部材８００の突出片８０３が嵌められる溝が、エンドプレート５００の側面上部に、第２挿支溝５１３に連通するよう、前後方向に沿い形成されることができる。
【００９０】
潤滑注入口５０１は、エンドプレート５００の上部一側に偏るよう形成され、これに潤滑油が注入される。
【００９１】
すなわち潤滑注入口５０１は、第１ボール外面循環溝５１１ａと潤滑注入口５０１との間の全体流路長が、第２ボール外面循環溝５１１ｂと潤滑注入口５０１との間の全体流路長より短いよう配置される。
【００９２】
第１連結通路５０２は潤滑注入口５０１に連通するよう形成され、貫通孔５０６の周りに沿い断面積が一定になるよう形成される。
【００９３】
第１潤滑入口５０７は、第１連結通路５０２と第１ボール外面循環溝５１１ａを連結し、第１連結通路５０２の前記潤滑油を第１ボール外面循環溝５１１ａに移送する。
【００９４】
第２潤滑入口５０８は、第１連結通路５０２と第２ボール外面循環溝５１１ｂを連結し、第１連結通路５０２の前記潤滑油を第２ボール外面循環溝５１１ｂに移送する。
【００９５】
抵抗は流路長に比例するため、第１ボール外面循環溝５１１ａと潤滑注入口５０１間の全体流路の抵抗は、第２ボール外面循環溝５１１ｂと潤滑注入口５０１間の全体流路の抵抗より小さくなる。
【００９６】
このように、抵抗の違いが生じることにより流量が一側に偏重することを防止するために、前記第１潤滑入口５０７の入口側断面積は、第２潤滑入口５０８の入口側断面積より小さく形成する。
【００９７】
一方、抵抗は断面積に反比例するので、断面積の大きい第２潤滑入口５０８で発生する抵抗が、第１潤滑入口５０７で発生する抵抗より小さくなる。
【００９８】
第２潤滑入口５０８と第１連結通路５０２の連結部の端には、ラウンド部を形成し抵抗を最小化することが望ましい。
【００９９】
したがって、潤滑注入口５０１が第１潤滑入口５０７に近接し配置されても、両側の全体流路で発生する抵抗がほぼ同じになることにより、第１ボール外面循環溝５１１ａと第２ボール外面循環溝５１１ｂに、潤滑油を均一に供給することができるようになる。
【０１００】
前述したものとは異なり、第１連結通路５０２で潤滑注入口５０１と第１潤滑入口５０７との間の最短流路Ｂの最小断面積は、第１連結通路５０２で潤滑注入口５０１と第２潤滑入口５０８との間の最短流路Ｃの最小断面積より小さく形成することにより、エンドプレート５００に形成される多数のボール外面循環溝に均一に潤滑油が注入されるようにすることもできる。
【０１０１】
すなわち、第１連結通路５０２の断面積を一定に形成せずに、潤滑注入口５０１と第１潤滑入口５０７との間の最短流路Ｂの一側断面積を減少させるか、あるいは第１連結通路５０２で潤滑注入口５０１と、第２潤滑入口５０８との間の最短流路Ｃの一側断面積を増加させ、第２潤滑入口５０８側の抵抗が減少するようにする。
【０１０２】
嵌合溝５１０はエンドプレート５００の両側に上下方向に形成され、上部と下部に形成されたボール外面循環溝を連通させる。
【０１０３】
エンドプレート５００の両側には、貫通孔５０６と嵌合溝５１０との間に位置するよう、設置孔５０９が貫設されている。
【０１０４】
第１潤滑入口５０７及び第２潤滑入口５０８は、設置孔５０９の周りに沿い形成され嵌合溝５１０に連結される。
【０１０５】
第３潤滑入口５０５は貫通孔５０６と第１連結通路５０２に連通し、前記潤滑油をボールスクリュー１６０と貫通孔５０６との間に移送する。
【０１０６】
第３潤滑入口５０５は、第２潤滑入口５０８に近接するよう形成される。
【０１０７】
エンドプレート５００の両側面には、ボールガイド面１７２に対応する形状に突起が上下部にそれぞれ形成され、ボールガイド面１７２に挿入される。
【０１０８】
ボール内面循環部材７００は、前記ボール外面循環溝に対応しボール内面循環溝７０３が形成され、ブロック本体６００とエンドプレート５００との間に配置される。
【０１０９】
ボール内面循環部材７００は、ボール内面循環溝７０３を有し、上下にそれぞれ配置される支持部７０２と、前記支持部７０２を連結する連結部７０４とを含む。
【０１１０】
ボール内面循環溝７０３は、支持部７０２の外周面に沿って形成されている。
【０１１１】
支持部７０２は前記ボール外面循環溝の形状に対応するよう形成され、連結部７０４は、嵌合溝５１０の形状に対応するよう、横断面形状が半円状に形成される。
【０１１２】
支持部７０２の上端または下端には、エンドプレート５００に形成された嵌合溝５１４の形状に対応するよう、嵌合突起７０１が半円状に形成される。
【０１１３】
このような構成により、ボール内面循環部材７００をエンドプレート５００に組み立てる場合には、連結部７０４を嵌合溝５１０に嵌め合わせ、嵌合突起７０１をエンドプレート５００の上下部に形成された嵌合溝５１４に嵌め込むことで、組立が出来上がる。
【０１１４】
したがって、組立が容易になり、作業工程が単純化する利点がある。
【０１１５】
支持部７０２には、ボール内面循環溝７０３に連通するように、第２連結通路７０５がそれぞれ形成される。
【０１１６】
第３連結通路７０６は、ボール内面循環部材７００でボール内面循環溝７０３が形成された面の背面に長手方向に形成され、上部及び下部に配置された第２連結通路７０５を連結する。
【０１１７】
第４潤滑入口７０８は連結部７０４に幅方向に開放するよう形成され、第３連結通路７０６と潤滑注入口５０１を連結し、前記潤滑油をボール内面循環部材７００に流入させる。
【０１１８】
さらに、前記潤滑油を第１または第２潤滑入口５０７，５０８から円滑に流入させるために、第４潤滑入口７０８はボール内面循環部材７００の外側方向に向かうほど断面積が広く形成される。
【０１１９】
すなわち、第４潤滑入口７０８はテーパー状に形成される。
【０１２０】
また、連結部７０４には、エンドプレート５００の設置孔５０９と干渉することを防止するために、組立の後、設置孔５０９に近接する部分に溝７０９を形成することができる。
【０１２１】
前述したものとは異なり、ボール内面循環部材７００はブロック本体６００に一体に形成されることもできる。
【０１２２】
シーリング部材８００はブロック本体６００の上部両側に配置される。
【０１２３】
シーリング部材８００は、両端が前記第１挿支溝５１２にそれぞれ嵌め込まれる第１挿支部８０１と、前記第１挿支部８０１に折り曲げられて形成され、前記第２挿支溝５１３に嵌め込まれる第２挿支部８０２とを含む。
【０１２４】
第２挿支部８０２には、前後方向に沿い貫通孔を多数形成することで、成型を容易にすることができる。
【０１２５】
第２挿支部８０２の両端には、エンドプレート５００外側に配置される突出片８０３が形成される。
【０１２６】
このような突出片８０３によって、シーリング部材８００がエンドプレート５００とレールフレーム１７０間のシーリング及び防塵の役割をすることになる。
【０１２７】
第１挿支部８０１の上部には、溝８０５が形成される。
【０１２８】
第２挿支部８０２の端には、前後方向に沿い傾斜部８０４が形成される。
【０１２９】
このような傾斜部８０４は、端がレールフレーム１７０の上面に密着接触しシーリングと防塵の役割を一層効果的に果たすことになる。
【０１３０】
シーリング部材８００の組立の時には、第１挿支部８０１及び第２挿支部８０２の両端を、エンドプレート５００に形成された第１挿支溝５１２及び第２挿支溝５１３に嵌め込み、シーリング部材８００をブロック本体６００の安着溝６０２に安着させ、組立が出来上がる。
【０１３１】
これにより、シーリング部材８００は組立が容易になり、防塵の役割とシーリングの役割を同時に果たすことになる。
【０１３２】
また、シーリング部材を前記スライダーに取り付けるために、ボルトのような別途の構成が不要になるので、前記スライダーをコンパクトに維持することができる。
【０１３３】
エンドシール４１０は、前後方向に配置されるエンドプレート５００の外側にそれぞれ配置される。
【０１３４】
エンドシール４１０の中心部には、ボールスクリュー１６０の貫通する貫通孔が形成されており、潤滑注入口５０１に対応する位置に、潤滑油供給ニップルが取り付けられる供給孔４１１が貫設される。
【０１３５】
エンドシール４１０において、前記貫通孔の両側には、エンドシール４１０がエンドプレート５００に締結されるよう、ホール４１２が形成されている。
【０１３６】
また、エンドシール４１０の両側上下部には、ボールガイド面１７２に嵌め込まれる突出部４１３が形成されている。
【０１３７】
テーブル３００はブロック本体６００及びレールフレーム１７０の上部に配置され、その底面には、ブロック本体６００と締結するようホール３０３が貫設されている。
【０１３８】
また、テーブル３００の両端には突出部が形成されており、この突出部とテーブル３００の底面との連結部にはラウンド部３０２が形成されている。
【０１３９】
前記突出部の上面には、他の部材を固定できるよう、ホール３０１がさらに形成されている。
【０１４０】
アッパーカバー２００はテーブル３００の上部に配置され、四つ角に近接するようホール２０１が形成され、フロントカバー１００とリアカバー１９０の上面に取り付けられる。
【０１４１】
アッパーカバー２００の背面には、両側に前後方向に沿いガイド溝２０２、２０４が長く形成されており、二つのガイド溝２０２、２０４間には溝２０３が前後方向に沿って形成されている。
【０１４２】
前述したように、本発明の望ましい実施例を参照して説明したが、当該技術分野の当業者であれば、特許請求範囲に記載した本発明の思想及び範疇から逸脱しない範囲内で本発明を多様に修正または変形して実施することができる。
【産業上の利用可能性】
【０１４３】
本発明は、ボールがボール外面循環溝に沿い安定的に回転し騷音及び振動が減少し、ボールがより効果的に回転できる直線運動スライダー用エンドプレート及び直線運動スライダーに適用可能である。
【図面の簡単な説明】
【０１４４】
【図１】本発明の望ましい実施例による、直線運動ユニットの分離斜視図である。
【図２】図１の結合斜視図である。
【図３】図１のブロック本体の斜視図である。
【図４】図１のエンドプレートの斜視図である。
【図５】図４のＡ−Ａ’についての断面図である。
【図６】図１のシーリング部材の斜視図である。
【図７】図１のボール内面循環部材の斜視図である。
【図８】図１のボール内面循環部材の背面斜視図である。
【図９】図１のレールフレームの斜視図である。
【符号の説明】
【０１４５】
１００    フロントカバー
１０２、１０７    貫通孔
１０３    前板
１０４    後板
１０５    前後フレーム
１０６    左右フレーム
１０８    ボルト
１１０    ロックナット
１２０    カラー
１３０    フランジ
１３１、１５１、１７１、１７４、１９１、２０１、３０１、４１２、６０９    ホール
１３２    突出部
１３３、１５２    平面部
１４０    ベアリング
１５０    ダンパー
１６０    ボールスクリュー
１６１    スクリュー
１７０    レールフレーム
１７２    ボールガイド面
１７３    係止爪
１７５、３０２    ラウンド部
１７６    設置孔
１７８    垂直部
１８０    センサーレール
１９０    リアカバー
２００    アッパーカバー
２０２、２０４    ガイド溝
２０３    溝
３００    テーブル
３０３    設置孔
４１０    エンドシール
４１１    供給孔
４１３    突出部
５００    エンドプレート
５０１    潤滑注入口
５０２    第１連結通路
５０５    第３潤滑入口
５０６    貫通孔
５０７    第１潤滑入口
５０８    第２潤滑入口
５０９    設置孔
５１０、５１４    嵌合溝
５１１ａ    第１ボール外面循環溝
５１１ｂ    第２ボール外面循環溝
５１２    第１挿支溝
５１３    第２挿支溝
５１５    安着溝
５１６    第１支持部
５１７    第２支持部
５１８    連結面
６００    ブロック本体
６０１、６０８    溝
６０２    安着溝
６０３    負荷ボール溝
６０４    無負荷ボール通路
６０５    設置孔
６０７    貫通孔
７００    ボール内面循環部材
７０１    嵌合突起
７０２    支持部
７０３    ボール内面循環溝
７０４    連結部
７０５    第２連結通路
７０６    第３連結通路
７０８    第４潤滑入口
７０９    溝
８００    シーリング部材
８０１    第１挿支部
８０２    第２挿支部
８０３    突出片
８０４    傾斜部
８０５    溝
９００    ボール
９０１    ボール外面
【図１】
2007278491.tif 000003
【図２】
2007278491.tif 000004
【図３】
2007278491.tif 000005
【図４】
2007278491.tif 000006
【図５】
2007278491.tif 000007
【図６】
2007278491.tif 000008
【図７】
2007278491.tif 000009
【図８】
2007278491.tif 000010
【図９】
2007278491.tif 000011